【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
イソシアネート（Ｃ）を含む溶液を調製する工程（ｉ）と、前記溶液にアミン（Ａ）とチオール（Ｂ）を添加混合する工程（ii）と、を含み、
イソシアネート（Ｃ）のイソシアナト基のモル数ｃに対する、アミン（Ａ）のアミノ基のモル数ａ及びチオール（Ｂ）のメルカプト基のモル数ｂの合計モル数（ａ＋ｂ）の比（（ａ＋ｂ）／ｃ）が０．８５〜１．１５の範囲であり、イソシアネート（Ｃ）のイソシアナト基のモル数ｃに対する、アミン（Ａ）のアミノ基のモル数ａの比（ａ／ｃ）が０．１０〜０．６０の範囲である、レンズ基材用重合性組成物の製造方法。
【請求項２】
アミン（Ａ）が、２級脂肪族アミン、２級脂環族アミン、および２級芳香族アミンから選ばれる１種以上の化合物を含む、請求項１に記載のレンズ基材用重合性組成物の製造方法。
【請求項３】
アミン（Ａ）は、式：−ＮＨＲで表される２級アミノ基を二つ有し、二つのＲは、各々同一でも異なっていてもよく、iso−プロピル基、１，２，２−トリメチルプロピル基、tert−ブチル基、sec−ブチル基、および１，３−ジメチルブチル基から選択される、請求項１または２に記載のレンズ基材用重合性組成物の製造方法。
【請求項４】
アミン（Ａ）が、Ｎ，Ｎ'−ジ−tert−ブチル−エチレンジアミン、Ｎ，Ｎ'−ジ（１，２，２−トリメチルプロピル）−１，６−ヘキサメチレンジアミン、Ｎ，Ｎ'−ジ−iso−プロピル−ｍ−キシリレンジアミン、Ｎ，Ｎ'−ジ−sec−ブチル−ｍ−キシリレンジアミン、Ｎ，Ｎ'−（シクロヘキシル−１，３−ジイルビス（メチレン））ビス（iso−プロピル−２−アミン）、Ｎ，Ｎ'−（シクロヘキシル−１，３−ジイルビス（メチレン））ビス（sec−プロピル−２−アミン）、Ｎ，Ｎ'−（シクロヘキシル−１，４−ジイルビス（メチレン））ビス（iso−プロピル−２−アミン）、Ｎ，Ｎ'−（シクロヘキシル−１，４−ジイルビス（メチレン））ビス（sec−プロピル−２−アミン）、Ｎ，Ｎ'−ジ−iso−プロピル−イソホロンジアミン、Ｎ，Ｎ'−ジ−sec−ブチル−４，４'−メチレン−ビス（シクロヘキシルアミン）、Ｎ，Ｎ'−ジ−sec−ブチル−４，４'−メチレン−ビス（２−メチルシクロヘキシルアミン）、Ｎ，Ｎ'−ジ−iso−プロピル−２，５−ジアミノメチル−ビシクロ［２．２．１］ヘプタン、Ｎ，Ｎ'−ジ−sec−ブチル−２，５−ジアミノメチル−ビシクロ［２．２．１］ヘプタン、Ｎ，Ｎ'−ジ−iso−プロピル−２，６−ジアミノメチル−ビシクロ［２．２．１］ヘプタン、Ｎ，Ｎ'−ジ−sec−ブチル−２，６−ジアミノメチル−ビシクロ［２．２．１］ヘプタン、およびＮ，Ｎ'−ジ−sec−ブチル−４，４'−ジアミノジフェニルメタンから選ばれる１種以上の化合物を含む、請求項１から３のいずれかに記載のレンズ基材用重合性組成物の製造方法。
【請求項５】
チオール（Ｂ）が、エチレングリコールビス(３−メルカプトプロピオネート)、テトラエチレングリコールビス(３−メルカプトプロピオネート)、およびビス（２−メルカプトエチル）スルフィドから選ばれる１種以上の化合物を含む、請求項１から４のいずれかに記載のレンズ基材用重合性組成物の製造方法。
【請求項６】
イソシアネート（Ｃ）が、ｍ−キシリレンジイソシアネート、２，５−ビス（イソシアナトメチル）ビシクロ［２．２．１］ヘプタン、２，６−ビス（イソシアナトメチル）ビシクロ［２．２．１］ヘプタン、１，３−ビス（イソシアナトメチル）シクロヘキサン、１，４−ビス（イソシアナトメチル）シクロヘキサン、イソホロンジイソシアネート、４，４'−メチレン−ビス（シクロヘキシルイソシアネート）、１，５−ペンタンジイソシアネート、１，６−ヘキサメチレンジイソシアネート、２，４−トリレンジイソシアネート、および２，６−トリレンジイソシアネートから選ばれる１種以上の化合物を含む、請求項１から５のいずれかに記載のレンズ基材用重合性組成物の製造方法。
【請求項７】
イソシアネート（Ｃ）のイソシアナト基のモル数ｃに対する、アミン（Ａ）のアミノ基のモル数ａの比（ａ／ｃ）が０．１０〜０．５０の範囲である、請求項１から６のいずれかに記載のレンズ基材用重合性組成物の製造方法。
【請求項８】
イソシアネート（Ｃ）のイソシアナト基のモル数ｃに対する、アミン（Ａ）のアミノ基のモル数ａ及びチオール（Ｂ）のメルカプト基のモル数ｂの合計モル数（ａ＋ｂ）の比（（ａ＋ｂ）／ｃ）が０．９０〜１．１０の範囲である、請求項１から７のいずれかに記載のレンズ基材用重合性組成物の製造方法。
【手続補正２】
【補正対象書類名】明細書
【補正対象項目名】発明の名称
【補正方法】変更
【補正の内容】
【発明の名称】レンズ基材用重合性組成物の製造方法
【手続補正３】
【補正対象書類名】明細書
【補正対象項目名】０００７
【補正方法】変更
【補正の内容】
【０００７】
本発明は以下に示すことができる。
［１］  イソシアネート（Ｃ）を含む溶液を調製する工程（ｉ）と、前記溶液にアミン（Ａ）とチオール（Ｂ）を添加混合する工程（ii）と、を含み、
イソシアネート（Ｃ）のイソシアナト基のモル数ｃに対する、アミン（Ａ）のアミノ基のモル数ａ及びチオール（Ｂ）のメルカプト基のモル数ｂの合計モル数（ａ＋ｂ）の比（（ａ＋ｂ）／ｃ）が０．８５〜１．１５の範囲であり、イソシアネート（Ｃ）のイソシアナト基のモル数ｃに対する、アミン（Ａ）のアミノ基のモル数ａの比（ａ／ｃ）が０．１０〜０．６０の範囲である、レンズ基材用重合性組成物の製造方法。
［２］  アミン（Ａ）が、２級脂肪族アミン、２級脂環族アミン、および２級芳香族アミンから選ばれる１種以上の化合物を含む、［１］に記載のレンズ基材用重合性組成物の製造方法。
［３］  アミン（Ａ）は、式：−ＮＨＲで表される２級アミノ基を二つ有し、二つのＲは、各々同一でも異なっていてもよく、iso−プロピル基、１，２，２−トリメチルプロピル基、tert−ブチル基、sec−ブチル基、および１，３−ジメチルブチル基から選択される、［１］または［２］に記載のレンズ基材用重合性組成物の製造方法。
［４］  アミン（Ａ）が、Ｎ，Ｎ'−ジ−tert−ブチル−エチレンジアミン、Ｎ，Ｎ'−ジ（１，２，２−トリメチルプロピル）−１，６−ヘキサメチレンジアミン、Ｎ，Ｎ'−ジ−iso−プロピル−ｍ−キシリレンジアミン、Ｎ，Ｎ'−ジ−sec−ブチル−ｍ−キシリレンジアミン、Ｎ，Ｎ'−（シクロヘキシル−１，３−ジイルビス（メチレン））ビス（iso−プロピル−２−アミン）、Ｎ，Ｎ'−（シクロヘキシル−１，３−ジイルビス（メチレン））ビス（sec−プロピル−２−アミン）、Ｎ，Ｎ'−（シクロヘキシル−１，４−ジイルビス（メチレン））ビス（iso−プロピル−２−アミン）、Ｎ，Ｎ'−（シクロヘキシル−１，４−ジイルビス（メチレン））ビス（sec−プロピル−２−アミン）、Ｎ，Ｎ'−ジ−iso−プロピル−イソホロンジアミン、Ｎ，Ｎ'−ジ−sec−ブチル−４，４'−メチレン−ビス（シクロヘキシルアミン）、Ｎ，Ｎ'−ジ−sec−ブチル−４，４'−メチレン−ビス（２−メチルシクロヘキシルアミン）、Ｎ，Ｎ'−ジ−iso−プロピル−２，５−ジアミノメチル−ビシクロ［２．２．１］ヘプタン、Ｎ，Ｎ'−ジ−sec−ブチル−２，５−ジアミノメチル−ビシクロ［２．２．１］ヘプタン、Ｎ，Ｎ'−ジ−iso−プロピル−２，６−ジアミノメチル−ビシクロ［２．２．１］ヘプタン、Ｎ，Ｎ'−ジ−sec−ブチル−２，６−ジアミノメチル−ビシクロ［２．２．１］ヘプタン、およびＮ，Ｎ'−ジ−sec−ブチル−４，４'−ジアミノジフェニルメタンから選ばれる１種以上の化合物を含む、［１］から［３］のいずれかに記載のレンズ基材用重合性組成物の製造方法。
［５］  チオール（Ｂ）が、エチレングリコールビス(３−メルカプトプロピオネート)、テトラエチレングリコールビス(３−メルカプトプロピオネート)、およびビス（２−メルカプトエチル）スルフィドから選ばれる１種以上の化合物を含む、［１］から［４］のいずれかに記載のレンズ基材用重合性組成物の製造方法。
［６］  イソシアネート（Ｃ）が、ｍ−キシリレンジイソシアネート、２，５−ビス（イソシアナトメチル）ビシクロ［２．２．１］ヘプタン、２，６−ビス（イソシアナトメチル）ビシクロ［２．２．１］ヘプタン、１，３−ビス（イソシアナトメチル）シクロヘキサン、１，４−ビス（イソシアナトメチル）シクロヘキサン、イソホロンジイソシアネート、４，４'−メチレン−ビス（シクロヘキシルイソシアネート）、１，５−ペンタンジイソシアネート、１，６−ヘキサメチレンジイソシアネート、２，４−トリレンジイソシアネート、および２，６−トリレンジイソシアネートから選ばれる１種以上の化合物を含む、［１］から［５］のいずれかに記載のレンズ基材用重合性組成物の製造方法。
［７］  イソシアネート（Ｃ）のイソシアナト基のモル数ｃに対する、アミン（Ａ）のアミノ基のモル数ａの比（ａ／ｃ）が０．１０〜０．５０の範囲である、［１］から［６］のいずれかに記載のレンズ基材用重合性組成物の製造方法。
［８］  イソシアネート（Ｃ）のイソシアナト基のモル数ｃに対する、アミン（Ａ）のアミノ基のモル数ａ及びチオール（Ｂ）のメルカプト基のモル数ｂの合計モル数（ａ＋ｂ）の比（（ａ＋ｂ）／ｃ）が０．９０〜１．１０の範囲である、［１］から［７］のいずれかに記載のレンズ基材用重合性組成物の製造方法。